【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
第１のベースバンドシグナリングモジュールを含む屋内装置と、
第２のベースバンドシグナリングモジュールを含む屋外装置と
を含む衛星ユーザー端末において、
前記第２のベースバンドシグナリングモジュールが、前記屋内装置と前記屋外装置との間の単体通信リンクを用いて第１のベースバンドシグナリングモジュールに通信可能に接続されており、
前記第１のベースバンドシグナリングモジュールおよび前記第２のベースバンドシグナリングモジュールからの少なくとも１個のベースバンドシグナリングモジュールが、前記第１のベースバンドシグナリングモジュールによりデータを送信する第１の送信期間および前記第２のベースバンドシグナリングモジュールによりデータを送信する第２の送信期間の割り当てを管理するように更に構成されており、
前記第１のベースバンドシグナリングモジュールが、
前記第１の送信期間中、ベースバンドシグナリングプロトコルを用いて、前記単体通信リンクを介して前記第２のベースバンドシグナリングモジュールに第１のデータの組を送信するトランスミッタと、
前記第２の送信期間中、前記ベースバンドシグナリングプロトコルを用いて、前記単体通信リンクを介して前記第２のベースバンドシグナリングモジュールから第２のデータの組を受信するレシーバと
を含み、
前記第１のベースバンドシグナリングモジュールのトランスミッタが、キャリア信号なしに、前記単体通信リンクを介して前記第１のデータの組を送信するように更に構成されていることを特徴とする衛星ユーザー端末。
【請求項２】
請求項１に記載の衛星ユーザー端末において、前記第２のベースバンドシグナリングモジュールが、
前記第１の送信期間中、前記ベースバンドシグナリングプロトコルを用いて、前記第１のデータの組を前記第１のベースバンドシグナリングモジュールから前記単体通信リンクを介して受信するレシーバと、
前記第２の送信期間中、前記ベースバンドシグナリングプロトコルを用いて、前記第２のデータの組を前記第２のベースバンドシグナリングモジュールに前記単体通信リンクを介して送信するトランスミッタと
を含むことを特徴とする衛星ユーザー端末。
【請求項３】
請求項１に記載の衛星ユーザー端末において、前記第１のベースバンドシグナリングモジュールおよび前記第２のベースバンドシグナリングモジュールの各々が、送信するためのそれらの各送信期間の前記割り当てを管理することを特徴とする衛星ユーザー端末。
【請求項４】
請求項１に記載の衛星ユーザー端末において、前記第１のベースバンドシグナリングモジュールおよび前記第２のベースバンドシグナリングモジュールの各々が、それらの前記各送信期間の前記割り当てを適応的に管理することを特徴とする衛星ユーザー端末。
【請求項５】
請求項１に記載の衛星ユーザー端末において、前記第１のベースバンドシグナリングモジュールおよび前記第２のベースバンドシグナリングモジュールの各々が、それらの各データの組の前記送信に伴い、前記送信の完了を示す１個以上の制御文字を送信することにより、それらの前記各送信期間の前記割り当てを適応的に管理することを特徴とする衛星ユーザー端末。
【請求項６】
第１のベースバンドシグナリングモジュールを含む屋内装置と、
第２のベースバンドシグナリングモジュールを含む屋外装置と
を含む衛星ユーザー端末において、
前記第２のベースバンドシグナリングモジュールが、前記屋内装置と前記屋外装置との間の単体通信リンクを用いて第１のベースバンドシグナリングモジュールに通信可能に接続されており、
前記第１のベースバンドシグナリングモジュールおよび前記第２のベースバンドシグナリングモジュールからの少なくとも１個のベースバンドシグナリングモジュールが、前記第１のベースバンドシグナリングモジュールによりデータを送信する第１の送信期間および前記第２のベースバンドシグナリングモジュールによりデータを送信する第２の送信期間の割り当てを管理するように更に構成されており、
前記第１のベースバンドシグナリングモジュールが、
前記第１の送信期間中、ベースバンドシグナリングプロトコルを用いて、前記単体通信リンクを介して前記第２のベースバンドシグナリングモジュールに第１のデータの組を送信するトランスミッタと、
前記第２の送信期間中、前記ベースバンドシグナリングプロトコルを用いて、前記単体通信リンクを介して前記第２のベースバンドシグナリングモジュールから第２のデータの組を受信するレシーバと
を含み、
前記第１のベースバンドシグナリングモジュールの前記トランスミッタが、
前記第１のデータの組の前記送信が所定の最長送信期間よりも長い送信時間を要すると判定し、かつ
前記所定の最長送信期間を超える前記第１のデータの組の送信を停止する
ように更に構成されていることを特徴とする衛星ユーザー端末。
【請求項７】
請求項１に記載の衛星ユーザー端末において、前記第１の送信期間が前記第２の送信期間と異なることを特徴とする衛星ユーザー端末。
【請求項８】
請求項１に記載の衛星ユーザー端末において、前記第１のベースバンドシグナリングモジュールの前記トランスミッタが、前記第１の送信期間中、前記第１のベースバンドシグナリングモジュールの前記レシーバに前記第１のデータの組を送信するように更に構成されていることを特徴とする衛星ユーザー端末。
【請求項９】
第１のベースバンドシグナリングモジュールを含む屋内装置と、
第２のベースバンドシグナリングモジュールを含む屋外装置と
を含む衛星ユーザー端末において、
前記第２のベースバンドシグナリングモジュールが、前記屋内装置と前記屋外装置との間の単体通信リンクを用いて第１のベースバンドシグナリングモジュールに通信可能に接続されており、
前記第１のベースバンドシグナリングモジュールおよび前記第２のベースバンドシグナリングモジュールからの少なくとも１個のベースバンドシグナリングモジュールが、前記第１のベースバンドシグナリングモジュールによりデータを送信する第１の送信期間および前記第２のベースバンドシグナリングモジュールによりデータを送信する第２の送信期間の割り当てを管理するように更に構成されており、
前記第１のベースバンドシグナリングモジュールが、
前記第１の送信期間中、ベースバンドシグナリングプロトコルを用いて、前記単体通信リンクを介して前記第２のベースバンドシグナリングモジュールに第１のデータの組を送信するトランスミッタと、
前記第２の送信期間中、前記ベースバンドシグナリングプロトコルを用いて、前記単体通信リンクを介して前記第２のベースバンドシグナリングモジュールから第２のデータの組を受信するレシーバと
を含み、
前記少なくとも１個のベースバンドシグナリングモジュールがリーダーとして選択され、
前記リーダーが、前記単体通信リンクを介した通信のための送信期間の割り当てを管理することを特徴とする衛星ユーザー端末。
【請求項１０】
請求項１に記載の衛星ユーザー端末において、前記第１のベースバンドシグナリングモジュールに関連付けられた周波数基準および前記第２のベースバンドシグナリングモジュールに関連付けられた周波数基準が周波数ロックされていることを特徴とする衛星ユーザー端末。
【請求項１１】
請求項１に記載の衛星ユーザー端末において、前記第１のベースバンドシグナリングモジュールに関連付けられた基準クロックおよび前記第２のベースバンドシグナリングモジュールに関連付けられた基準クロックが位相ロックされていることを特徴とする衛星ユーザー端末。
【請求項１２】
請求項１に記載の衛星ユーザー端末において、前記ベースバンドシグナリングプロトコルが第１のベースバンドシグナリングプロトコルであり、および前記少なくとも１個のベースバンドシグナリングモジュールが、
前記単体通信リンクを介して前記第１のベースバンドシグナリングモジュールと前記第２のベースバンドシグナリングモジュールとの間でデータを送信および受信するための第２のベースバンドシグナリングプロトコルを選択し、かつ
前記データを送信および受信するために前記第２のベースバンドシグナリングプロトコルの使用に切り替える
ように更に構成されていることを特徴とする衛星ユーザー端末。
【請求項１３】
請求項１２に記載の衛星ユーザー端末において、前記第２のベースバンドシグナリングプロトコルが、前記単体通信リンクで検出された１個以上の信号品質パラメータに基づいて選択されることを特徴とする衛星ユーザー端末。
【請求項１４】
請求項１３に記載の衛星ユーザー端末において、前記信号品質パラメータが、エラー率、信号対ノイズ比、信号レベル、およびスペクトルプロファイルの１つ以上を含むことを特徴とする衛星ユーザー端末。
【請求項１５】
請求項１３に記載の衛星ユーザー端末において、前記信号品質パラメータが前記単体通信リンクの長さの影響を受けることを特徴とする衛星ユーザー端末。
【請求項１６】
請求項１２に記載の衛星ユーザー端末において、前記第１のベースバンドシグナリングプロトコルおよび前記第２のベースバンドシグナリングプロトコルが、それぞれ非ゼロ復帰（ＮＲＺ）、部分応答シグナリング（ＰＲＳ）に基づくプロトコル、またはパルス振幅変調（ＰＡＭ）に基づくプロトコルの１つであることを特徴とする衛星ユーザー端末。
【請求項１７】
請求項１に記載の衛星ユーザー端末において、前記屋内装置が、ユーザー機器と前記衛星ユーザー端末との間で前記第１のデータの組および前記第２のデータの組を転送するルーターを更に含むことを特徴とする衛星ユーザー端末。
【請求項１８】
請求項１に記載の衛星ユーザー端末において、前記屋外装置が、衛星に送信されている前記第１のデータの組を変調し、かつ前記衛星から受信された前記第２のデータの組を復調するように構成された衛星モデムを更に含むことを特徴とする衛星ユーザー端末。
【請求項１９】
請求項１に記載の衛星ユーザー端末において、前記屋外装置が、アンテナを介して衛星に前記第１のデータの組を無線送信するように構成された無線周波数（ＲＦ）通信装置を更に含むことを特徴とする衛星ユーザー端末。
【請求項２０】
請求項１に記載の衛星ユーザー端末において、前記屋内装置が、前記単体通信リンクを介して前記屋外装置に電力を供給することを特徴とする衛星ユーザー端末。
【請求項２１】
衛星ユーザー端末（ＳＵＴ）の屋内装置と屋外装置との間で通信する方法において、
第１のベースバンドシグナリングモジュールおよび第２のベースバンドシグナリングモジュールからの少なくとも１個のベースバンドシグナリングモジュールを用いて、第１のベースバンドシグナリングモジュールによりデータを送信する第１の送信期間および第２のベースバンドシグナリングモジュールによりデータを送信する第２の送信期間の割り当てを管理するステップであって、前記屋内装置が前記第１のベースバンドシグナリングモジュールを含み、および前記屋外装置が前記第２のベースバンドシグナリングモジュールを含む、ステップと、
前記第１の送信期間中、前記第１のベースバンドシグナリングモジュールにより、ベースバンドシグナリングプロトコルを用いて、前記屋内装置と前記屋外装置との間の単体通信リンクを介して前記第２のベースバンドシグナリングモジュールに第１のデータの組を送信するステップと、
前記第２の送信期間中、前記第１のベースバンドシグナリングモジュールにより、前記ベースバンドシグナリングプロトコルを用いて、前記単体通信リンクを介して前記第２のベースバンドシグナリングモジュールから第２のデータの組を受信するステップと
を含み、
前記第１のデータの組を送信するステップが、キャリア信号なしに、前記単体通信リンクを介して前記第１のデータの組を送信することを含むことを特徴とする方法。
【請求項２２】
請求項２１に記載の方法において、
前記第１の送信期間中、前記第２のベースバンドシグナリングモジュールにより、前記ベースバンドシグナリングプロトコルを用いて、前記単体通信リンクを介して前記第１のベースバンドシグナリングモジュールから前記第１のデータの組を受信するステップと、
前記第２の送信期間中、前記第２のベースバンドシグナリングモジュールにより、前記ベースバンシグナリングプロトコルを用いて、前記単体通信リンクを介して前記第２のベースバンドシグナリングモジュールに前記第２のデータの組を送信するステップと
を含むことを特徴とする方法。
【請求項２３】
請求項２１に記載の方法において、
前記第１のベースバンドシグナリングモジュールと前記第２のベースバンドシグナリングモジュールとの間の前記単体通信リンクを介してデータを送信および受信するための別のベースバンドシグナリングプロトコルを選択するステップと、
前記データを送信および受信するために、前記選択されたベースバンドシグナリングプロトコルの使用に切り替えるステップと
を更に含むことを特徴とする方法。
【請求項２４】
衛星ユーザー端末（ＳＵＴ）の屋内装置と屋外装置との間で通信する方法において、
第１のベースバンドシグナリングモジュールおよび第２のベースバンドシグナリングモジュールからの少なくとも１個のベースバンドシグナリングモジュールを用いて、第１のベースバンドシグナリングモジュールによりデータを送信する第１の送信期間および第２のベースバンドシグナリングモジュールによりデータを送信する第２の送信期間の割り当てを管理するステップであって、前記屋内装置が前記第１のベースバンドシグナリングモジュールを含み、および前記屋外装置が前記第２のベースバンドシグナリングモジュールを含む、ステップと、
前記第１の送信期間中、前記第１のベースバンドシグナリングモジュールにより、ベースバンドシグナリングプロトコルを用いて、前記屋内装置と前記屋外装置との間の単体通信リンクを介して前記第２のベースバンドシグナリングモジュールに第１のデータの組を送信するステップと、
前記第２の送信期間中、前記第１のベースバンドシグナリングモジュールにより、前記ベースバンドシグナリングプロトコルを用いて、前記単体通信リンクを介して前記第２のベースバンドシグナリングモジュールから第２のデータの組を受信するステップと、
前記第１のデータの組の送信が所定の最長送信期間よりも長い送信時間を要することを判定するステップと、
前記所定の最長送信期間を超える前記第１のデータの組の送信を停止するステップと
を含むことを特徴とする方法。
【請求項２５】
衛星ユーザー端末（ＳＵＴ）の屋内装置と屋外装置との間で通信する方法において、
第１のベースバンドシグナリングモジュールおよび第２のベースバンドシグナリングモジュールからの少なくとも１個のベースバンドシグナリングモジュールを用いて、第１のベースバンドシグナリングモジュールによりデータを送信する第１の送信期間および第２のベースバンドシグナリングモジュールによりデータを送信する第２の送信期間の割り当てを管理するステップであって、前記屋内装置が前記第１のベースバンドシグナリングモジュールを含み、および前記屋外装置が前記第２のベースバンドシグナリングモジュールを含む、ステップと、
前記第１の送信期間中、前記第１のベースバンドシグナリングモジュールにより、ベースバンドシグナリングプロトコルを用いて、前記屋内装置と前記屋外装置との間の単体通信リンクを介して前記第２のベースバンドシグナリングモジュールに第１のデータの組を送信するステップと、
前記第２の送信期間中、前記第１のベースバンドシグナリングモジュールにより、前記ベースバンドシグナリングプロトコルを用いて、前記単体通信リンクを介して前記第２のベースバンドシグナリングモジュールから第２のデータの組を受信するステップと、
前記少なくとも１個のベースバンドシグナリングモジュールをリーダーとして選択するステップと、
前記リーダーで、前記単体通信リンクを介した通信のための送信期間の割り当てを管理するステップと
を含むことを特徴とする方法。
【請求項２６】
請求項２１に記載の方法において、前記第１のデータの組を受信するステップが、キャリア信号なしに、前記単体通信リンクを介して前記第１のデータの組を受信することを含むことを特徴とする方法。
【請求項２７】
請求項１に記載の衛星ユーザー端末において、前記第２のベースバンドシグナリングモジュールのレシーバが、キャリア信号なしに、前記単体通信リンクを介して前記第１のデータの組を受信するように更に構成されることを特徴とする衛星ユーザー端末。